(57)【要約】【課題】外リンクプレートの外方への反りを防止するとともに、占有する空間を増大させず、かつ、破断強度が低下せず重量も軽減されたチェーンを提供すること。【解決手段】内リンクプレート１２０と外リンクプレート１１０とが交互に多数連結されているチェーン１００において、外リンクプレート１１０が、内リンクプレート１２０と摺接する側面のチェーン走行方向中央部の上下端であって内リンクプレート１２０と干渉しない位置にリブ１１１を突出して設けられていること。【選択図】図１
2010127394.tif 000002
【特許請求の範囲】
【請求項１】
左右一対の内リンクプレートと、両端部が前記内リンクプレートに圧入嵌着された円筒状のブシュと、前記内リンクプレートの両外側に配置する左右一対の外リンクプレートと、前記ブシュに回転自在に嵌挿されて両端部が前記外リンクプレートに圧入嵌着された連結ピンとで構成され、前記内リンクプレートと前記外リンクプレートとが交互に多数連結されているチェーンにおいて、
前記外リンクプレートが、前記内リンクプレートと摺接する側面のチェーン走行方向中央部の上下端であって内リンクプレートと干渉しない位置に突出するリブを有していることを特徴とするチェーン。
【請求項２】
前記外リンクプレートが、前記リブの形成されている面の反対側の上下端に面取り部を備えていることを特徴とする請求項１に記載のチェーン。
【請求項３】
前記外リンクプレートが、前記上下端のリブの間に肉抜き孔を備えていることを特徴とする請求項１または請求項２に記載のチェーン。
【発明の詳細な説明】
【技術分野】
【０００１】
本発明は、自動車、産業用機械等の動力伝達機構あるいは搬送機構などに用いられるチェーンに関するものである。
【背景技術】
【０００２】
従来、左右一対の内リンクプレートと、両端部が内リンクプレートに圧入嵌着された円筒状のブシュと、内リンクプレートの両外側に配置する左右一対の外リンクプレートと、ブシュに回転自在に嵌合して両端部が前記外リンクプレートに圧入嵌着された連結ピンとで構成され、内リンクプレートと外リンクプレートとが交互に多数連結されているチェーンにおいて、外リンクプレートに反りを軽減するためチェーン走行方向に延びるリブを設けたチェーンが周知である。
【０００３】
これらの周知のチェーン５００は、図６乃至図８に示すように、一対の外リンクプレート５１０のピン孔に連結ピン５３０が嵌着固定された外リンクと、一対の内リンクプレート５２０のブシュ孔にブシュ５４０が嵌着固定された内リンクとからなり、ブシュ５４０に連結ピン５３０が緩挿されることにより、外リンクと内リンクとが交互に連結されて形成されている。
また、ローラチェーンの場合はブシュ５４０にはローラ５５０が回転自在に緩挿されている。
【０００４】
外リンクプレート５１０は、内リンクプレート５２０と摺接する側面の反対面にチェーン走行方向に延びるリブ５１１が形成されており、チェーン５００に張力がかかった時に連結ピン５３０が撓むことによる外リンクプレート５１０の外方への反りを防止するように構成されている（例えば、特許文献１参照。）。
【特許文献１】実願昭５７−１６２１４６号（実開昭５９−３０９５６号）のマイクロフィルム（第３頁、図２、図３、図４）
【発明の開示】
【発明が解決しようとする課題】
【０００５】
しかしながら、このような周知のチェーン５００は、外リンクプレート５１０にリブ５１１を設けることで外方に厚みが増し、全体としてチェーン５００の占有する空間が大きくなるという問題があった。
また、外リンクプレート５１０のチェーン５００の引張による破断に対する強度は十分であるにもかかわらず、リブ５１１を設けるために軽量化を行うことができず、チェーン５００全体の重量が大きくなるという問題があった。
【０００６】
本発明は、前述したような従来技術の問題を解決するものであって、すなわち、本発明の目的は、外リンクプレートの外方への反りを防止するとともに、占有する空間を増大させず、かつ、破断強度が低下せず重量も軽減されたチェーンを提供することである。
【課題を解決するための手段】
【０００７】
本請求項１に係る発明は、左右一対の内リンクプレートと、両端部が前記内リンクプレートに圧入嵌着された円筒状のブシュと、前記内リンクプレートの両外側に配置する左右一対の外リンクプレートと、前記ブシュに回転自在に嵌挿されて両端部が前記外リンクプレートに圧入嵌着された連結ピンとで構成され、前記内リンクプレートと前記外リンクプレートとが交互に多数連結されているチェーンにおいて、前記外リンクプレートが、前記内リンクプレートと摺接する側面のチェーン走行方向中央部の上下端であって内リンクプレートと干渉しない位置に突出するリブを有していることにより、前記課題を解決するものである。
【０００８】
本請求項２に係る発明は、請求項１に記載されたチェーンの構成に加えて、前記外リンクプレートが、前記リブの形成されている面の反対側の上下端に面取り部を備えていることにより、前記課題をさらに解決するものである。
【０００９】
本請求項３に係る発明は、請求項１または請求項２に記載されたチェーンの構成に加えて、前記外リンクプレートが、前記上下端のリブの間に肉抜き孔を備えていることにより、前記課題をさらに解決するものである。
【発明の効果】
【００１０】
本請求項１に係る発明のチェーンは、左右一対の内リンクプレートと、両端部が内リンクプレートに圧入嵌着された円筒状のブシュと、内リンクプレートの両外側に配置する左右一対の外リンクプレートと、ブシュに回転自在に嵌挿されて両端部が外リンクプレートに圧入嵌着された連結ピンとで構成され、内リンクプレートと外リンクプレートとが交互に多数連結されているチェーンにおいて、外リンクプレートが、内リンクプレートと摺接する側面のチェーン走行方向中央部の上下端であって内リンクプレートと干渉しない位置に突出するリブを有していることによって、チェーンに張力がかかった時に連結ピンが撓むことで外リンクプレートを外方に反らせる力が集中するチェーン走行方向中央部をリブによって補強しつつ、外リンクプレートの外方には突出部が存在しないため、外リンクプレートの外方への反りが防止されるとともに、チェーンが占有する空間が増大することはなく、かつ、重量の増加もわずかなチェーンを提供することができる。
【００１１】
そして、本請求項２に係る発明のチェーンは、請求項１に係るチェーンが奏する効果に加えて、外リンクプレートが、リブの形成されている面の反対側の上下端に面取り部を備えていることによって、リブにより破断強度が確保されつつ外リンクプレートの重量を軽減することができるため、さらに重量の増加もわずかなチェーンを提供することができる。
【００１２】
そして、本請求項３に係る発明のチェーンは、請求項１または請求項２に係るチェーンが奏する効果に加えて、外リンクプレートが、上下端のリブの間に肉抜き孔を備えていることによって、リブにより破断強度が確保されつつ、リブによる重量の増加分以上の重量を軽減することができるため、さらに軽量化されたチェーンを提供することができる。
【発明を実施するための最良の形態】
【００１３】
本発明のチェーンは、左右一対の内リンクプレートと、両端部が内リンクプレートに圧入嵌着された円筒状のブシュと、内リンクプレートの両外側に配置する左右一対の外リンクプレートと、ブシュに回転自在に嵌挿されて両端部が外リンクプレートに圧入嵌着された連結ピンとで構成され、内リンクプレートと外リンクプレートとが交互に多数連結されているチェーンにおいて、外リンクプレートが、内リンクプレートと摺接する側面のチェーン走行方向中央部の上下端であって内リンクプレートと干渉しない位置に突出するリブを有し、外リンクプレートの外方への反りが防止されるとともに、占有する空間が増大せず、かつ、破断強度が低下せず重量も軽減するという効果を発揮するものであれば、その具体的な実施態様は如何なるものであっても何ら構わない。
【実施例】
【００１４】
以下に、本発明のチェーンについて図面に基づいて説明する。
図１は、本発明の一実施例であるチェーンの斜視図であり、図２は、本発明の一実施例であるチェーンの外リンクプレートの斜視図であり、図３は、本発明の一実施例であるチェーンの外リンクプレートの正面図であり、図４は、本発明の一実施例であるチェーンの外リンクプレートの平面図であり、図５は、本発明の一実施例であるチェーンの外リンクプレートの側面図である。
【００１５】
本発明の一実施例であるチェーン１００は、図１に示すように、左右一対の内リンクプレート１２０と、両端部が内リンクプレート１２０のブシュ孔１２１に圧入嵌着された円筒状のブシュ１４０と、内リンクプレート１２０の両外側に配置する左右一対の外リンクプレート１１０と、ブシュ１４０に回転自在に嵌挿されて両端部が外リンクプレート１１０のピン孔１１４に圧入嵌着された連結ピン１３０とを有し、一対の外リンクプレート１１０のピン孔１１４に連結ピン１３０が嵌着固定された外リンク１０１と一対の内リンクプレート１２０のブシュ孔１２１にブシュ１４０が嵌着固定された内リンク１０２とが、ブシュ１４０に連結ピン１３０が緩挿されることにより交互に多数連結されて構成されている。
なお、本実施例ではブシュ１４０にはローラ１５０が遊嵌されている。
【００１６】
外リンクプレート１１０は、図２乃至図５に示すように、内リンクプレート１２０と摺接する側面のチェーン走行方向中央部の上下端であって内リンクプレート１２０と干渉しない位置にリブ１１１を突出して設けられている。
【００１７】
また、外リンクプレート１１０のリブ１１１の形成されている面の反対側の上下端には面取り部１１２が設けられている。
さらに、外リンクプレート１１０の上下端のリブ１１１の間には肉抜き孔１１３が設けられている。
【００１８】
以上のように構成された外リンクプレート１１０を有するチェーン１００の動作について説明する。
チェーン１００が駆動されると、チェーン１００に加わる引張力は各ブシュ１４０および連結ピン１３０を介して外リンクプレート１１０の両ピン孔１２１および内リンクプレート１２０の両ブシュ孔１２１を左右に引っ張る方向に作用する。
【００１９】
このとき連結ピン１３０が撓む方向に力を受け、これにより外リンクプレート１１０も外方に反る方向に力を受けるが、外リンクプレート１１０にリブ１１１が設けられていることで、反り方向の厚みが増し強度が高くなることで、外リンクプレート１１０の外方への反りが防止される。
【００２０】
リブ１１１は内リンクプレート１２０と摺接する側面の干渉しない位置に設けられているため、チェーン１００の占有する空間は増加することはなく、かつ、チェーン１００がスプロケット等に巻回されたても円滑に屈曲する。
【００２１】
また、チェーン１００に加わる引張力は連結ピン１３０を介して外リンクプレート１１０の破断方向の力として作用し、この引張力により、外リンクプレート１１０の引張方向と直交する断面積の小さい部分において破断の虞が大きくなる。
【００２２】
外リンクプレート１１０のチェーン走行方向中央部にはリブ１１１が設けられ断面積が増加することとなるため、面取り部１１２及び肉抜き孔１１３を設けても、最も断面積の小さなピン孔１１４の中心上のチェーン走行方向と垂直な断面よりも断面積が小さくならない限り、外リンクプレート１１０の破断強度は低下せず、かつ、軽量化が可能となる。
【００２３】
以上のように、本発明によれば、外リンクプレートの外方への反りが防止されるとともに、占有する空間が増大せず、かつ、破断強度が低下せず重量も軽減するなど、その効果は甚大である。
【００２４】
なお、本実施例のチェーン１００は、ローラ１５０を有するローラチェーンであるが、ローラを有さないブシュチェーンであっても良い。
また、リブ１１１、面取り部１１２および肉抜き孔１１３の大きさや形状は実施例に限定されるものではなく、いかなる大きさ、形状であっても良い。
【図面の簡単な説明】
【００２５】
【図１】本発明の一実施例であるチェーンの斜視図。
【図２】本発明の一実施例であるチェーンの外リンクプレートの斜視図。
【図３】本発明の一実施例であるチェーンの外リンクプレートの正面図。
【図４】本発明の一実施例であるチェーンの外リンクプレートの平面図。
【図５】本発明の一実施例であるチェーンの外リンクプレートの側面図。
【図６】従来のチェーンの側面図。
【図７】従来のチェーンの一部断面平面図。
【図８】従来のチェーンの外リンクプレートの正面図および側面図。
【符号の説明】
【００２６】
１００、５００  ・・・チェーン
１１０、５１０  ・・・外リンクプレート
１１１、５１１  ・・・リブ
１１２          ・・・面取り部
１１３          ・・・肉抜き孔
１１４          ・・・ピン孔
１２０、５２０  ・・・内リンクプレート
１２１          ・・・ブシュ孔
１３０、５３０  ・・・連結ピン
１４０、５４０  ・・・ブシュ
１５０、５５０  ・・・ローラ
【図１】
2010127394.tif 000003
【図２】
2010127394.tif 000004
【図３】
2010127394.tif 000005
【図４】
2010127394.tif 000006
【図５】
2010127394.tif 000007
【図６】
2010127394.tif 000008
【図７】
2010127394.tif 000009
【図８】
2010127394.tif 000010